(57)【要約】【課題】液晶表示パネル用のパネル基板の周囲に周辺シール剤を塗布するためのスクリーン印刷版であって、前記液晶表示パネル内に封止される液晶層表面を傷付けてしまうことのないスクリーン印刷版、およびそれを製造する製造方法を提供すること。【解決手段】金属板２に周辺シール剤を形成すべき形状の孔８が設けられ、かつ、孔８に、金属板２よりも薄膜のメッシュ４が形成されてなり、その一方の面において、メッシュ４が金属板２と面一になるように配され、当該面がスキージ面を構成することを特徴とするスクリーン印刷版。および、本発明のスクリーン印刷版２０を製造するのに適した製造方法であって、２段階のメッキ処理の工程により１層目のメッキ層で金属板２の１部およびメッシュ４を形成し、２層目のメッキ層で金属板２を積層して完成させるメタルマスクスクリーン版の製造方法である。【選択図】図１
2007307717.tif 000002
【特許請求の範囲】
【請求項１】
液晶表示パネル用のパネル基板の周囲に周辺シール剤を塗布するためのスクリーン印刷版であって、
金属板に前記周辺シール剤を形成すべき形状の孔が設けられ、かつ、当該孔に、前記金属板よりも薄膜のメッシュが形成されてなり、その一方の面において、前記メッシュが前記金属板と面一になるように配され、当該面がスキージ面を構成することを特徴とするスクリーン印刷版。
【請求項２】
前記金属板と前記メッシュとが、一体成形されてなることを特徴とする請求項１に記載のスクリーン印刷版。
【請求項３】
前記金属板および前記メッシュの材質が、ニッケルまたはその合金であることを特徴とする請求項２に記載のスクリーン印刷版。
【請求項４】
前記金属板の外周が、帯状の弾性張架帯を介して版枠に固定されてなることを特徴とする請求項１〜３のいずれかに記載のスクリーン印刷版。
【請求項５】
前記弾性張架帯が、紗であることを特徴とする請求項４に記載のスクリーン印刷版。
【請求項６】
液晶表示パネル用のパネル基板の周囲に周辺シール剤を塗布するためのスクリーン印刷版を製造する方法であって、
平面を有する金属母材の当該平面に対して、メッシュのネガ像からなる前記周辺シール剤を形成すべき形状のレジストを形成する第１レジスト形成工程と、
金属母材のレジストが形成された面に金属メッキを施す第１メッキ工程と、
金属母材の金属メッキ層が形成された面に、メッシュのネガ像を含まない前記形状のレジストを形成する第２レジスト形成工程と、
金属母材のレジストが形成された面に、再び前記金属メッキと同一材質の金属メッキを施す第２メッキ工程と、
残存する前記レジストを剥離する剥離工程と、
金属母材から、積層されたメッキ層を脱型してスクリーン印刷版を得る脱型工程と、
を含むことを特徴とするスクリーン印刷版の製造方法。
【請求項７】
前記金属メッキが、ニッケルメッキまたはその合金メッキであることを特徴とする請求項６に記載のスクリーン印刷版の製造方法。
【発明の詳細な説明】
【技術分野】
【０００１】
本発明は、液晶表示パネル用のパネル基板の周囲に周辺シール剤を塗布するためのスクリーン印刷版およびその製造方法に関する。
【背景技術】
【０００２】
従来より、例えば各種の電子部品等の実装のために、プリント配線基板にハンダペースト、導体ペースト等を塗布形成するに際し、高精度なパターン印刷を可能にさせるスクリーン印刷が採用されている。特に高精度なパターン印刷が望まれる場合には、スクリーン印刷用の版材として、スクリーン印刷版が用いられる。
【０００３】
一方、液晶表示パネルは、一対のパネル基板間に液晶層を介在させた状態で、その周囲を周辺シール剤を介して貼り合わせることで得られる。そのため、液晶表示パネルを製造するには、パネル基板に対して周辺シール剤を塗布する作業が要求される。この塗布作業の一方法として、生産性に優れたスクリーン印刷方法が採用されている（例えば特許文献１参照）。
【０００４】
スクリーン印刷版は、伸縮性のあるメッシュ（紗）に、印刷材料（一般的にはインク、本用途では周辺シール剤）の滲み出しを防止する材料、例えば乳剤を被覆し、印刷すべきパターン状（本用途では、パネル基板周囲の周辺シール剤を形成すべき形状）の開口部のみが開口されてなるものである。
【０００５】
このスクリーン印刷版用のメッシュには、シルクスクリーンメッシュ，ナイロンやテトロンなどの合成繊維メッシュおよびステンレスメッシュが用いられている。これらの中で、周辺シール材の塗布に際しては、精密印刷用途のステンレスメッシュが主として用いられている。
【０００６】
図１０に、液晶表示パネル製造途中のパネル基板であって、周辺シール剤が塗布された状態を平面図にて示す。図１０に示されるように、液晶層１０６が表面に形成されたパネル基板１０２の周囲に周辺シール剤１０４が形成される。
図１１は、スクリーン印刷によってパネル基板に周辺シール剤を塗布する作業の様子を示す模式図である。液晶層１０６が表面に形成されたパネル基板１０２の当該表面にスクリーン印刷版１１０を配置し、液晶層１０６側と反対側の面（スキージ面）に周辺シール剤１０４を流し込んで、これを矢印Ａ方向に移動するスキージ１０８により摺り込むようにして、液晶層１０６側の面（被印刷面）に染み出させて周辺シール剤１０４を塗装する。
【０００７】
スクリーン印刷版１１０は、版枠１１２にメッシュ１１４が紗張りされてなる物であり、メッシュ１１４は図１０に示す周辺シール剤１０２を形成すべき部分のみが開口部とされ、その他の部分は不図示の乳剤により被覆されている。
このとき、スキージ１０８を移動させる際にメッシュ１１４にテンションがかかりメッシュ１１４が液晶層１０６の表面に密着するため、液晶層１０６にメッシュ跡が転写されてしまう。このメッシュ跡は、最終的に得られる液晶表示パネルの表示不良の原因となる。
【０００８】
図１２は、スクリーン印刷版に用いられるメッシュ１１４の一部を拡大した平面図であり、パネル基板１０と対向する被印刷面側を示している。また、図１３は、図１２におけるメッシュ１１４のＤ−Ｄ断面図であり、図１２からさらに拡大したものである。メッシュ１１４は、縦糸１１４ａと横糸１１４ｂとが平織りで編み込まれてなるものである。縦糸１１４ａおよび横糸１１４ｂは波状となっており、そのため、縦糸１１４ａが被印刷面側に突出する山部１１４ａ’と横糸１１４ｂが被印刷面側に突出する山部１１４ｂ’とが交互に存在している。この山部１１４ａ’，１１４ｂ’が、パネル基板１０２の表面に形成された液晶層１０６に当接し押圧されることで、メッシュ跡となってしまう。
【０００９】
液晶表示パネル用のパネル基板の周囲に周辺シール剤を塗布するためのスクリーン印刷版の場合、メッシュ１１４には山部１１４ａ’，１１４ｂ’を平滑にするカレンダー処理が施され、液晶層１０６との当接面がある程度の面積を有する平面とすることで、メッシュ跡が付き難くなるようにしている。しかし、山部１１４ａ’，１１４ｂ’の液晶層１０６との当接面の面積は、カレンダー処理により平滑にして得られる程度では知れており、メッシュ跡の低減効果は十分とは言えない。
【００１０】
メッシュ跡を防止する方法として、乳剤の厚さを厚くする方法があるが、当該方法では、周辺シール剤の塗布量がばらつき易く、シール幅が一定でなくなる場合があるため好ましくない。
また、周辺シール剤１０２を形成すべき部分のみ貫通パターン孔を有するメタルマスク（パターン成形層）とメッシュ１１４とを貼り合わせたもの（一般に、「サスペンドメタルマスク版」あるいは「サスペンドスクリーン印刷版」等と称される。）によれば、液晶層１０６と当接する面がメタルマスクになるため、メッシュ跡が付くのがかなり防止される。しかし、メタルマスクの背面（スキージ面）にはメッシュ１１４が位置しており、スキージ１０８を押圧しつつ移動するとメッシュ１１４がメタルマスクを介して被印刷面に転写されるため、メッシュ跡を完全に防止することはできない。
【００１１】
特許文献２には、配向膜（液晶層）のラビング方向とスクリーンメッシュのカレンダー処理の方向とを同方向に合わせることで、カレンダー処理による削り傷の方向とラビング方向とが同じ方向となり、その削り傷が配向膜に転写されたとしても配向がほとんど乱れることがなく、メッシュ跡による表示不良を防止することができる技術が開示されている。しかし、如何にカレンダー処理による削り傷の方向とラビング方向とを揃えたからといって、液晶層表面にメッシュ跡が付くことには変わりがなく、表示不良の懸念は払拭されない。
【００１２】
【特許文献１】特開平７−１３７４２３号公報
【特許文献２】特開２００６−１７８３５号公報
【発明の開示】
【発明が解決しようとする課題】
【００１３】
したがって、本発明は、液晶表示パネル用のパネル基板の周囲に周辺シール剤を塗布するためのスクリーン印刷版であって、前記液晶表示パネル内に封止される液晶層表面を傷付けてしまうことのないスクリーン印刷版、およびかかるスクリーン印刷版を容易に得ることができる製造方法を提供することを目的とする。
【課題を解決するための手段】
【００１４】
上記目的は、以下の本発明により達成される。すなわち本発明は、
＜１＞  液晶表示パネル用のパネル基板の周囲に周辺シール剤を塗布するためのスクリーン印刷版であって、
金属板に前記周辺シール剤を形成すべき形状の孔が設けられ、かつ、当該孔に、前記金属板よりも薄膜のメッシュが形成されてなり、その一方の面において、前記メッシュが前記金属板と面一になるように配され、当該面がスキージ面を構成することを特徴とするスクリーン印刷版である。
【００１５】
＜２＞  前記金属板と前記メッシュとが、一体成形されてなることを特徴とする＜１＞に記載のスクリーン印刷版である。
【００１６】
＜３＞  前記金属板および前記メッシュの材質が、ニッケルまたはその合金であることを特徴とする＜２＞に記載のスクリーン印刷版である。
【００１７】
＜４＞  前記金属板の外周が、帯状の弾性張架帯を介して版枠に固定されてなることを特徴とする＜１＞〜＜３＞のいずれかに記載のスクリーン印刷版である。
【００１８】
＜５＞  前記弾性張架帯が、紗であることを特徴とする＜４＞に記載のスクリーン印刷版である。
【００１９】
＜６＞  液晶表示パネル用のパネル基板の周囲に周辺シール剤を塗布するためのスクリーン印刷版を製造する方法であって、
平面を有する金属母材の当該平面に対して、メッシュのネガ像からなる前記周辺シール剤を形成すべき形状のレジストを形成する第１レジスト形成工程と、
金属母材のレジストが形成された面に金属メッキを施す第１メッキ工程と、
金属母材の金属メッキ層が形成された面に、メッシュのネガ像を含まない前記形状のレジストを形成する第２レジスト形成工程と、
金属母材のレジストが形成された面に、再び前記金属メッキと同一材質の金属メッキを施す第２メッキ工程と、
残存する前記レジストを剥離する剥離工程と、
金属母材から、積層されたメッキ層を脱型してスクリーン印刷版を得る脱型工程と、
を含むことを特徴とするスクリーン印刷版の製造方法である。
【００２０】
＜７＞  前記金属メッキが、ニッケルメッキまたはその合金メッキであることを特徴とする＜６＞に記載のスクリーン印刷版の製造方法である。
【発明の効果】
【００２１】
本発明のスクリーン印刷版によれば、これを用いて、液晶層が形成されたパネル基板の周囲に周辺シール剤を塗布する際に、当該スクリーン印刷版のスキージ面と反対側の面である被印刷面側における前記液晶層と当接する領域が、平板状の金属板面でああるため、面で前記液晶層と当接することになり、メッシュ跡を残すことがない。
【００２２】
しかも、スキージ面にもメッシュが存在しないため、前記金属板を介してのメッシュ映りの懸念も払拭され、メッシュ跡が前記液晶層に付くことを確実に防止することができる。
そのため、最終的に得られる液晶表示パネルのメッシュ跡に由来する表示不良を完全に防止することができる。
また、本発明のスクリーン印刷版の製造方法によれば、上記優れた特徴を有する本発明のスクリーン印刷版を容易に製造することができる。
【発明を実施するための最良の形態】
【００２３】
以下、本発明を図面に則して詳細に説明する。
［本発明のスクリーン印刷版］
図１（ａ）は、本発明の例示的一態様である実施形態のスクリーン印刷版を模式的に表す模式平面図であり、図１（ｂ）は図１（ａ）のＢ−Ｂ断面図であり、図１（ｃ）は図１（ａ）のＣ−Ｃ断面図である。図１に示されように、本実施形態のスクリーン印刷版２０は、金属板２の縁からやや内側に、所定の幅を有する矩形状の開口部（周辺シール剤を形成すべき形状の孔）８が設けられ、当該開口部８にはメッシュ４が配されている。当該図１においては、図１（ａ）の平面図では被印刷物側の面が上を向いた状態であるが、図１（ｂ）および図１（ｃ）では、スキージ面が上方を向いている（以降の図においても、特に指定がない限り同様である。）。
【００２４】
本実施形態のスクリーン印刷版２０において本発明に特徴的な構成としては、開口部８に配されたメッシュ４が金属板２とスキージ面で面一になるように配されている点である。ここで「面一」とは、複数の部材ないし要素が平面部を有し、かつ、当該平面部が同一平面に位置することを意味し、本発明においては、すなわち、スキージ面においてメッシュ（４）と金属板（２）とが同一平面上に位置するように配置されることを意味する。
図１におけるメッシュ４と金属板２との関係を見れば明らかなように、本実施形態においても、スキージ面（図１（ｂ）および（ｃ）における上方側の面）で両者が同一平面上に位置しており、両者が面一の状態に配置されていると言い得る。
【００２５】
図２を用いて、従来のサスペンドスクリーン印刷版と本実施形態のスクリーン印刷版の構造的相違を説明する。ここで、図２（ｘ）が従来のサスペンドスクリーン印刷版２０’、図２（ｙ）が本実施形態のスクリーン印刷版２０を示す模式断面図である。これらは、図１におけるＢ−Ｂ断面に相当する断面図（すなわち、下方が被印刷側）である。ただし、図２（ｘ）では、メッシュ４’をより模式化して描いている。
【００２６】
図２（ｘ）に示されるように、従来のサスペンドスクリーン印刷版２０’は、被印刷面側における液晶層と当接する領域Ｅ’が、平板状の金属板（メタルマスク）２’の面となっているものの、その背面であるスキージ面側にメッシュ４’が存在しており、図１１を用いて説明したようにスキージ（１０８）で擦り込むようにして押圧すると、メッシュ４’がメタルマスクを介して被印刷面に転写されるため、メッシュ跡を完全に防止することはできない。
【００２７】
それに対して、本実施形態のスクリーン印刷版２０は、図２（ｙ）に示されるように、被印刷面側における液晶層と当接する領域Ｅが、平板状の金属板２の面となっていることは勿論のこと、その背面であるスキージ面側にもメッシュが存在せず、図１１を用いて説明したようにスキージ（１０８）で擦り込むようにして押圧した場合にも、メッシュ跡が被印刷物（液晶表示パネル用のパネル基板に形成された液晶層）に付くことを確実に防止することができる。
【００２８】
また、図２（ｘ）に示されるように、従来のサスペンドスクリーン印刷版２０’は、所定の幅を有する矩形状の開口部８’を有するメタルマスク２’に、それとは別体のメッシュ４’を貼り合わせてなるものである。このように従来のサスペンドスクリーン印刷版２０’においては、メタルマスク２’の厚さＴ１とメッシュ４’の厚さＴ２’との合計（Ｔ１＋Ｔ２’）が版全体の厚さとなり、全体としてある程度以上の厚みになる。
【００２９】
メタルマスク２’およびメッシュ４’の厚みは、両者が貼り合わされる前の別体の状態で自立している事が要求されるため、両者が貼り合わされた状態で自立可能な程度まで薄くすることはできず、全体としての厚みの低減には制限がある。特にメタルマスク２’は、それ自体で版としての実用性ないし耐久性に見合った自立性が要求されるため、ある程度の堅牢さが必要であり、厚さＴ１を低減することは限界がある。
【００３０】
それに対して、本実施形態のスクリーン印刷版２０は、図２（ｙ）に示されるように、従来例のメタルマスク２’に相当する金属板２の開口部（パターン状の孔）８に、金属板２よりも薄膜のメッシュ４が形成されているため、版全体の厚さにメッシュ４の厚さＴ２は影響を与えず、金属板２の厚さＴ１と版全体の厚さとが同一になる。そのため、版全体として厚さを低減することができるといった効果もある。
【００３１】
さらに、従来例のサスペンドスクリーン印刷版２０’では、スキージ面Ｓ全面がメッシュ４’であり、その平面性が確保されているが、本実施形態のサスペンドスクリーン印刷版２０’でも、メッシュ４と金属板２とが面一になっているため、スキージ面Ｓの平面性が確保されている。そのため、スキージにより擦り込むように押圧して印刷する際にスムーズであり、不具合が生じることが無い。
【００３２】
なお、液晶表示パネル用のパネル基板の周囲に周辺シール剤を塗布するためのスクリーン印刷版においては、一般的に、前記周辺シール剤を形成すべき領域の幅が比較的狭いため、メッシュ４に大きな負荷は掛からず、メッシュ４が撓む懸念も大きくない。しかし、より耐久性を向上させたい場合や前記周辺シール剤を形成すべき領域の幅が比較的広い場合等の際には、メッシュ４の被印刷物側の面に、当該面から垂直に垂下し、かつその端部が金属板２の被印刷物側の面と略揃う長さのポストを配することもできる。
【００３３】
＜構成部材の詳細＞
次に、本発明のスクリーン印刷版を構成する各部材について、詳細に説明する。
【００３４】
（金属板）
本発明において金属板の材料としては、特に制限はなく、従来からスクリーン印刷版におけるメタルマスクの材料として用いられてきた各種金属を問題なく使用することができる。具体的には例えば、ニッケル、鉄、銅、およびこれらの金属を含む合金（例えば、ステンレス）が挙げられる。加工性や経済性の観点から、これらの中でもニッケルおよびその合金が好ましい。
【００３５】
本発明において金属板の厚みとしては、特に制限はないが、ある程度の耐久性を確保するためには、１０μｍ以上であることが好ましく、１２μｍ以上であることがより好ましい。一方、当該金属板の厚みの上限としては、目的に応じて適宜厚膜とすることもできるが、高精細な画像を得るためには、７０μｍ以下であることが好ましく、４０μｍ以下であることがより好ましい。
【００３６】
周辺シール剤を塗布するパネル基板（被印刷物）としては、前記実施形態の例では１個のみであるが、２個以上並置しておきこれを１枚のスクリーン印刷版で印刷することも可能であり、生産性の観点から好ましい。この場合、本発明のスクリーン印刷版に開けられる孔（開口部）としては、それら全てのパネル基板に対応した数の「周辺シール剤を形成すべき形状の孔」が設けられる。
【００３７】
本発明において金属板の大きさとしては、周辺シール剤を塗布するパネル基板の大きさや一度に塗布する数に応じた面積に依存し、特に制限はないが、一般的には一辺が２００ｍｍ〜８５０ｍｍの範囲内の矩形状のものが選択される。勿論、金属板の形状としては、矩形に制限されるものではない。
【００３８】
（メッシュ）
本発明においてメッシュの材料としては、特に制限はない。ただし、後述するように、メッシュは前記金属板と一体成形することが、製造適性から好ましく、その観点からは、前記金属板と同一の材料とすることが望ましい。
【００３９】
本発明において、メッシュの厚さとしては、少なくとも前記金属板よりも薄膜であることが要求され、前記金属板の厚さにもよるが、下限は５μｍ以上であることが好ましく、１０μｍ以上であることがより好ましい。また、前記メッシュの厚さの上限は、前記金属板を厚膜とした場合、それに応じて適宜厚膜とすることができるが、高精細な画像を得るためには、３０μｍ以下であることが好ましく、２５μｍ以下であることがより好ましい。
【００４０】
本発明において、メッシュを構成する素材（繊維）の太さとしては、スクリーン印刷版としての機能を損なわない程度に細く、また、印刷時のある程度の柔軟性と耐久性とを確保するために、５μｍ〜４０μｍの範囲から選択することが好ましく、１０μｍ〜３０μｍの範囲から選択することがより好ましい。
【００４１】
本発明において、メッシュを構成する繊維の密度（いわゆる「メッシュ」）としては、高精細な画像を形成するためには大きい（目が細かい）方が好ましいが、あまり大きすぎる（目が細かすぎる）と周辺シール剤の成分を十分に透過させることができなくなる場合がある。したがって、１ｍｍ当たり２７．６〜３１５本（７０〜８００メッシュ）程度の範囲から選択される。
【００４２】
また、後述する製造方法によれば、既製のメッシュを貼り付けるのではなく、メッキにより新たにメッシュを形成するので、例えば、周辺シール剤（印刷パターン）の厚みを大きくしたい場所はメッシュの密度を小さくし、小さくしたい場所はメッシュの密度を大きくする等、形成しようとするパターンに応じて、メッシュの密度、メッシュの厚さ、メッシュの形状、繊維の太さ等を部位により異なるものとしてもよい。
【００４３】
メッシュの孔の形状としては、図面上は全て縦横繊維が等間隔で直交してなる正方形となっているが、本発明においてはこれに限定されるものではない。後述する製造方法によれば、メッシュの孔の形状を任意に設定することができるため、あらゆる形状、例えば、正三角形、正方形、長方形、ひし形、正六角形、その他多角形（正多角形および変形多角形を含む。）、円形、楕円形、不定形等いずれの形状にしてもよく、種々の条件等を勘案して、最適の形状を選択すればよい。
【００４４】
（ポスト）
前記ポストを配する場合に、当該ポストの材料としては、特に制限はないが、ポストは前記金属板や前記メッシュと一体成形することが、製造適性から好ましく、その観点からは、前記金属板や後述するポストと同一の材料とすることが望ましい。
ポストとしては、その形状には特に制限は無く、角柱状、円柱状、載頭円錐状、載頭角錐状、その他不定形等いずれの形状を採用しても構わない。
【００４５】
＜使用態様＞
本発明のスクリーン印刷版は、版枠に固定して用いてもよい。通常のサスペンドスクリーン印刷版ではスキージ側全面に設けられる紗（一般に言うところの「メッシュ」のことを指し、本発明での「メッシュ」とは概念が異なるため、本発明においては、用語を変えて概念分けして用いることとする。）を、メタルマスクの外周まで設けて、これを版枠に固定することでいわゆる「紗張り」している。しかし、本発明のスクリーン印刷版には、この「紗」に相当する部材が無いため、本発明のスクリーン印刷版の金属板の外周（好ましくはスキージ面側）に帯状の弾性張架帯を貼り付け、これを介して版枠に固定すればよい。
【００４６】
当該弾性張架帯は、前記金属板（メタルマスク）の外周においては、通常のサスペンドスクリーン印刷版で用いられる紗と同等の意義の部材であるため、従来からスクリーン印刷版におけるメッシュ（紗）の材料として用いられてきたものを問題なく使用することができる。具体的には例えば、ステンレス、アルミニウム、鉄、銅、およびこれらの金属を含む合金等の金属メッシュや、ポリエステル（例えばテトロン（登録商標））等の樹脂製メッシュが挙げられる。また、これら樹脂製メッシュの表面を前記金属あるいは合金で被覆した物でも構わない。
【００４７】
ただし、本発明において弾性張架帯として採用可能な紗は、前記開口部に設けられるものではないことから、繊維の太さや繊維の密度（いわゆる「メッシュ」）に何ら制限は無い。通常のサスペンドスクリーン印刷版においてメタルマスクに相当する「金属板」と版枠との間を、印刷に供するのに適した程度の張力で張り渡すことができる所望の弾性力を有していれば、繊維の太さや繊維の密度は全く任意の値で構わない。また、前記所望の弾性力を有していれば、特に紗に限定されるものではなく、従来公知のシート状ないしフィルム状の部材を前記弾性張架帯として採用することも可能である。耐久性やコストの観点からは、前記弾性張架帯として紗を用いることが最も簡便であり好ましい。
【００４８】
また、使用可能な版枠としては、特に制限はなく、従来からスクリーン印刷版における版枠として用いられてきたものを問題なく使用することができる。前記弾性張架帯を介して前記版枠に固定（いわゆる、「紗張り」）した際、前記弾性張架帯に十分なテンションがかけられ、スクリーン印刷に供する際、十分な形状保持性を有するものであれば、その形状、構造、大きさ、材料に如何なる制限も課されない。具体的な材料としては、ステンレス、アルミニウム、鉄、銅、等の金属材料のほか、各種プラスチック材料でも構わない。
【００４９】
前記金属板と前記弾性張架帯との間の固定、および、前記弾性張架帯と版枠との間の固定は、特に制限は無く、従来公知の一般的な方法によればよい。例えば、接着固定方法の例を挙げれば、溶接による方法、接着剤による方法、メッキによる方法、超音波溶着による方法、ビス止めや押さえ具により加圧しての取り付け等機械的取付方法、等が挙げられ、いずれの方法で行っても全く問題ない。
【００５０】
なお、本発明において、当該版枠は必須の構成要素ではないが、通常のスクリーン印刷においては、版枠に紗張りした状態で用いられることが多い。ただし、印刷装置に直接取り付ける態様のもの等版枠を有しない状態のまま、スクリーン印刷に供しうる場合も想定され、かかる場合においても本発明のスクリーン印刷版は好適に使用することができる。
【００５１】
＜本発明のスクリーン印刷版の製造方法＞
本発明のスクリーン印刷版の製造方法（以下、単に「本発明の製造方法」という場合がある。）は、大きく分けて２度のメッキ処理の工程（１および２）と、剥離工程と、からなる。また、それぞれのメッキ処理の工程は、さらにレジスト形成工程およびメッキ工程、第２のメッキ処理の工程ではさらに剥離工程に分かれ、これらが必須の工程となる。つまり整理すると以下のようになる。
【００５２】
（１）第１のメッキ処理の工程
（１−Ａ）  平面を有する金属母材の当該平面に対して、メッシュのネガ像からなる前記周辺シール剤を形成すべき形状のレジストを形成する第１レジスト形成工程。
（１−Ｂ）  金属母材のレジストが形成された面に金属メッキを施す第１メッキ工程。
【００５３】
（２）第２のメッキ処理の工程
（２−Ａ）  金属母材の金属メッキ層が形成された面に、メッシュのネガ像を含まない前記パターン状のレジストを形成する第２レジスト形成工程。
（２−Ｂ）  金属母材のレジストが形成された面に、再び前記金属メッキと同一材質の金属メッキを施す第２メッキ工程。
（２−Ｃ）  残存する前記レジストを剥離する剥離工程。
【００５４】
（３）  金属母材から、積層されたメッキ層を脱型してスクリーン印刷版を得る脱型工程。
【００５５】
なお、（１）第１のメッキ処理の工程の最終工程として、第１レジスト形成工程において形成されたレジストを剥離する（１−Ｃ）予備剥離工程を設けても構わない。
以下、本発明の製造方法を、具体的な例を挙げて各工程ごとに分けて説明する。
【００５６】
［製造方法の具体例］
本例においては、図１に示す構成の実施形態のスクリーン印刷版を製造する製造方法の例を説明する。
【００５７】
（１）第１のメッキ処理の工程
（１−Ａ）第１レジスト形成工程
第１レジスト形成工程とは、平面を有する金属母材の当該平面に対して、メッシュのネガ像からなる周辺シール剤を形成すべき形状のレジストを形成する工程である。
【００５８】
まず、図３に示されるような平面を有する金属母材１０を用意する。ここで、図３は、本発明のスクリーン印刷版の製造方法の一例を説明するための模式説明図であり、図３（ａ）は、本発明のスクリーン印刷版の製造方法による処理前の金属母材を表す模式平面図であり、図３（ｂ）は図３（ａ）のＢ−Ｂ断面図であり、図３（ｃ）は図３（ａ）のＣ−Ｃ断面図である。なお、図３〜図７についても、全て本発明のスクリーン印刷版の製造方法の一例を説明するための模式説明図である。
【００５９】
金属母材１０としては、形成されるメタルマスクを平面状に保持し得る平面を有するものであれば、特に制限はなく、図３に示されるような平板状のものに限定されるものでは無い。
【００６０】
本工程では、金属母材１０の表面に、メッシュのネガ像からなる周辺シール剤を形成すべき形状のレジストを形成する。図４（ａ）は本工程による操作が為された後の金属母材１０表面の状態を示す模式平面図であり、図４（ｂ）は図４（ａ）のＢ−Ｂ断面図であり、図４（ｃ）は図４（ａ）のＣ−Ｃ断面図である。図４を見ればわかるように、本工程による操作の後に、メッシュのネガ像からなるレジスト１２が形成されている。
【００６１】
ここで「メッシュのネガ像」とは、縦横の繊維からなるメッシュの当該繊維以外の部分、換言すればメッシュにおける孔の部分に相当する形状のことを指す。すなわち微視的には、レジスト１２の個々の形状は正方形であるけれども、レジスト１２が形成されている領域全体を見ると、レジストが形成されていない部分がメッシュ状になっている状態である（ただし、図４においては、当該像が微細に過ぎるため、図示を省略している。）。このような形状のレジスト像を本発明においては「メッシュのネガ像」と表現している。
【００６２】
また、かかるメッシュのネガ像からなる「周辺シール剤を形成すべき形状」とは、レジスト１２が形成されている領域全体を見た場合に、当該レジスト１２の部位とメッシュに相当する部位とを含めた全体像が、周辺シール剤を形成すべき形状となっていることを意味する。図４（ａ）に示される例で言えば、レジスト１２が形成されている領域全体を見ると、全体として所定の幅を有する矩形状となっている。すなわち、本例では、当該形状が所望のパターン状であり、最終的に形成されるスクリーン印刷版には、当該形状の開口部８が形成されることになる。
【００６３】
レジスト１２としては、従来公知の各種レジスト剤を用いることができ、レジスト剤として市販されている物でも、本発明のために新たに調合したものでも、何ら問題なく用いることができる。また、一般的にはレジストとして用いられていないもの（例えば、接着剤等）であっても、電解メッキにおける通電に対して不導体として作用するような材料であれば、いずれも採用可能である。精緻な印刷パターンを形成するためには、感光性のレジスト材料を用いることが望ましい。
【００６４】
感光性のレジスト材料としては、上市されているネガ型あるいはポジ型の市販品を挙げることができる。例えば、各種メーカーから市販されている感光性ドライフォトフィルム（感光性レジスト材、感光性樹脂）を挙げることができる。
【００６５】
感光性のレジスト材料を用いてレジスト１２を形成するには、当該感光性のレジスト材料を金属母材１０の表面に塗布し、現像後にメッシュのネガ像からなる所定の幅を有する矩形状のレジストが形成されるように、選択したレジスト材料の種類に応じてネガ状ないしポジ状に光を照射した後に、所定の現像を施せばよい。
【００６６】
（１−Ｂ）第１メッキ工程
第１メッキ工程とは、第１レジスト形成工程においてレジストが形成された金属母材の面に、金属メッキを施す工程である。
図４に示されるような、表面にレジスト１２が形成された金属母材１０の当該表面に、最終的に求めるスクリーン印刷版を構成すべき材料の金属メッキを施すと、図５に示されるように、金属母材１０表面のうちレジスト１２が形成された部位以外の部位に、金属板２となる金属メッキ層が形成される。ここで、図５（ａ）は本工程による操作が為された後の金属母材１０表面の状態を示す模式平面図であり、図５（ｂ）は図５（ａ）のＢ−Ｂ断面図であり、図５（ｃ）は図５（ａ）のＣ−Ｃ断面図である。
【００６７】
例えば、金属メッキとして電解メッキを採用した場合、不導体として作用するレジスト１２の部分には、メッキが施されない。また、それ以外のメッキ方法を採用した場合にも、レジスト１２の部分には、メッキが施されないか、あるいはレジスト１２の上にメッキされ、金属母材１０表面に直接メッキが施されることは無い。
【００６８】
なお、レジスト１２が形成されていた部分は、メッシュのネガ像となっていたため、本工程による操作が為された後には、全体的に見ると、メッシュ４となる金属メッキ層とレジスト１２とが混在した状態（レジスト１２の網目状の隙間に金属メッキ層が形成された状態）となっている（符号１２，４参照）。
【００６９】
電解メッキによりメッキ処理する金属としては、各種金属およびその合金が挙げられ、本発明における金属板の材料として挙げた金属ないし合金を用いることができる。中でもニッケルおよびその合金は、細線印刷時の耐久性がより一層向上するため好ましく、また、加工性や経済性の観点からも好ましい。
本工程により形成すべき金属メッキの厚みとしては、最終的に開口部８に設けられるメッシュ４の厚みになるため、当該厚みを所望の値とする程度にすればよい。
【００７０】
（１−Ｃ）予備剥離工程
予備剥離工程とは、第１レジスト形成工程において形成されたレジストを、第１メッキ工程の操作の後に剥離する工程である。
第１メッキ工程の操作が終了すると、図５に示されるように、金属母材１０表面には、レジスト１２と金属メッキ層（金属板２）とが混在した状態で存在している。本工程においては、このレジスト１２を除去する。
【００７１】
図６（ａ）は本工程による操作が為された後の金属母材１０表面の状態を示す模式平面図であり、図６（ｂ）は図６（ａ）のＢ−Ｂ断面図であり、図６（ｃ）は図６（ａ）のＣ−Ｃ断面図である。
図６に示されるように、本工程の操作が終了した時点で、金属母材１０表面における開口部８には、当該開口部８の形状（周辺シール剤を形成すべき形状）のメッシュ４が形成される。
【００７２】
レジスト１２の除去は、レジスト材料の種類に応じて最適な方法を採用すればよく、例えば、アルカリ液やその他有機・無機の各種溶剤を用いて除去すればよい。いずれにしても、従来公知の方法で行えば問題ないため、詳細な説明は割愛する。なお、当該工程は任意の工程であり、残存するレジストをその状態のまま後述する（２）第２のメッキ処理の工程の操作を継続し、当該工程の最終工程である（２−Ｃ）剥離工程で、全てのレジストを剥離しても構わない。
【００７３】
（２）第２のメッキ処理の工程
（２−Ａ）第２レジスト形成工程
第２レジスト形成工程とは、「（１）第１のメッキ処理の工程」の操作が終了した後、金属母材の金属メッキ層が（（１−Ｃ）予備剥離工程の操作を省略している場合には、残存するレジストとともに）形成された面に、メッシュのネガ像を含まない前記形状のレジストを形成する工程である。つまり、（１−Ａ）第１レジスト形成工程とは、形成するレジストにおいて、メッシュのネガ像を含まない点のみが異なる。
【００７４】
図７（ａ）は本工程による操作が為された後の金属母材１０表面の状態を示す模式平面図であり、図７（ｂ）は図７（ａ）のＢ−Ｂ断面図であり、図７（ｃ）は図７（ａ）のＣ−Ｃ断面図である。図７を見ればわかるように、本工程で形成されるレジスト１２は、図４に示されるようなメッシュのネガ像ではなく、単なる開口部８に相当する形状のベタ像となっている。
【００７５】
図７（ｂ）および図７（ｃ）において、レジスト１２の下層（金属母材１０側の層）として形成されている層１２，４は、メッシュ４となる金属メッキ層とレジスト１２とが混在した状態の層であり、レジスト１２のみからなる上層とは異なっている。
【００７６】
なお、メッシュ４の被印刷物側の面に、当該面から垂直に垂下し、かつその端部が金属板２の被印刷物側の面と略揃う長さのポストを配する場合には、本工程で、得ようとするポストの形状の貫通孔が所望の箇所に形成されるようにレジストを形成すればよい。
その他、レジスト１２の材料や形成方法等は、「（１−Ａ）第１レジスト形成工程」の場合と同一であるため、その詳細な説明は省略する。
【００７７】
（２−Ｂ）第２メッキ工程
第２メッキ工程とは、第２レジスト形成工程においてレジストが形成された金属母材の面に、再び、前記第１メッキ工程における金属メッキと同一材質の金属メッキを施す工程である。
【００７８】
図７に示されるような、表面に金属メッキ層（金属板２）およびレジスト１２が形成された金属母材１０の当該表面に、さらに金属メッキを施すと、図８に示されるように、金属母材１０表面のうちレジスト１２が形成された部位以外の部位に金属メッキ層が積層される。ここで、図８（ａ）は本工程による操作が為された後の金属母材１０表面の状態を示す模式平面図であり、図８（ｂ）は図８（ａ）のＢ−Ｂ断面図であり、図８（ｃ）は図８（ａ）のＣ−Ｃ断面図である。
【００７９】
つまり、本工程の金属メッキによれば、開口部８には金属メッキが為されず、それ以外の部位に積層される状態となる。すなわち、開口部８以外の金属メッキ層（金属板２）は、境界Ｌ１を境に、第１と第２の２つのメッキ処理の工程で積層されて厚さが増して、全体として、本発明における「金属板」として要求されるに十分な厚みが確保される。そして、開口部８においては、第１のメッキ処理の工程で形成されたメッシュ４が薄膜のまま保持される。
【００８０】
なお、金属メッキ層（金属板２）は、図８においては境界Ｌ１において上下に分断されているように表されているが、実際には、第１と第２の２つのメッキ処理の工程で積層されたこの上下のメッキ層は融合して、１つの膜を形成した状態となっている。その点、既述のように、両者を積層する２つのメッキ処理の工程を有していても、これら工程は一体で捉えることができ、本例の製造方法は、本発明に言う「一体成形」の概念から外れるものではない。
【００８１】
本工程において積層する金属メッキ層の厚みは、（１−Ｂ）第１メッキ工程で形成された金属メッキ層との合計である金属メッキ層（金属板２）全体の厚みとして、最終的に得られるスクリーン印刷版の金属板に要求される厚さになるように、適宜調整してやればよい。すなわち、例えば、全体として１５μｍの厚さで、メッシュ４を５μｍの厚さにすることを望む場合、（１−Ｂ）第１メッキ工程で５μｍ、そして本工程（第２メッキ工程）で１０μｍの金属メッキを施せばよい。
その他、金属メッキ層におけるメッキ材料やメッキ方法等は、「（１−Ｂ）第１メッキ工程」の場合と同一であるため、その詳細な説明は省略する。
【００８２】
（２−Ｃ）剥離工程
剥離工程とは、第２メッキ工程の操作終了後に残存する前記レジストを剥離する工程である。
第２メッキ工程の操作が終了すると、図８に示されるように、金属母材１０表面には、レジスト１２と金属メッキ層である金属板２とが混在した状態で存在している。特に、レジスト１２は、開口部８を埋めるような状態で残存している。また、層１２，４においては、メッシュ４となる金属メッキ層とレジスト１２とが混在した状態となっている。本工程においては、このレジスト１２を除去する。
【００８３】
図９（ａ）は本工程による操作が為された後の金属母材１０表面の状態を示す模式平面図であり、図９（ｂ）は図９（ａ）のＢ−Ｂ断面図であり、図９（ｃ）は図９（ａ）のＣ−Ｃ断面図である。
図９に示されるように、本工程の操作が終了した時点で、金属母材１０表面における開口部８には、周辺シール剤を形成すべき形状（所定の幅を有する矩形状）のメッシュ４が形成されているとともに、当該部位の下方（被印刷物側）には、空間部が形成されている。
その他、レジスト１２の除去方法等は、「（１−Ｃ）予備剥離工程」の場合と同一であるため、その詳細な説明は省略する。
【００８４】
（３）脱型工程
脱型工程とは、「（２）第２のメッキ処理の工程」の操作が終了した後、金属母材から、積層されたメッキ層を脱型してスクリーン印刷版を得る工程である。すなわち、図９に示される状態となった金属メッキ層２を、本工程において金属母材１０から引き剥がすことで脱型し、目的の図１に示す構成の前記実施形態のスクリーン印刷版を得る。
【００８５】
この際の引き剥がす方法（脱型方法）としては、特に制限は無いが、ステンレス製の金属母材からニッケルないしその合金製の成型物を剥離しようとする場合のように、両者異なる金属材料である場合には、通常、引き剥がすことは困難ではなく、手や器具を用いて、単に物理的な脱型作業を行えばよい。脱型が困難な場合には、従来公知の各種剥離手法により脱型を行えばよい。また、脱型を容易にするべく、例えば有機溶剤に浸漬する等の操作により、残存するレジスト１２を完全に溶解してから脱型の操作を行うことも好ましい。
【００８６】
以上のようにして、優れた特徴を有する本発明のスクリーン印刷版を製造することができる。すなわち、（１）第１のメッキ処理の工程によって、金属板２のスキージ面側とメッシュ４とを同時にメッキ処理により形成すれば、それらの表面は自ずと面一になり、（２）第２のメッキ処理の工程によって、金属板２のみメッキ処理によってメッキ層を積層すれば、金属板２のみを所望の厚みとし、それよりも薄膜のメッシュ４とすることができ、本発明のスクリーン印刷版を容易に製造することができる。
【００８７】
本例の製造方法によれば、２回のメッキ処理を施すことにより、高性能なスクリーン印刷版を高精度で簡単に製造できるため、印刷精度の向上と共に、低コスト化をも実現することができる。
また、本例の製造方法では、メッキ処理の両工程において用いるメッキ材料を同一のものとしているため、金属板２とメッシュ４とが一体成形されてなるスクリーン印刷版を容易に製造することができる。
【００８８】
以上、本発明のスクリーン印刷版およびその製造方法について、好ましい実施形態および具体例を挙げて詳細に説明してきたが、本発明は、以上の実施形態および例に限定されるものではなく、当業者は公知の知見により本発明の構成に変更・改良を加えることができる。
【００８９】
例えば、第１および第２のメッキ工程の２段のメッキ処理が行われているが、メッシュおよび／または金属板の厚みを確保する等の目的で、それぞれの工程において２段以上のメッキ処理を施すことにより、全体として３回以上のメッキ処理の操作が為されていても構わない。この場合は、単にそれぞれのメッキ工程の中で便宜上２回以上メッキ処理の操作が為されているのみであり、複数回のメッキ処理が１つの工程の中で為されているものと解される。
【図面の簡単な説明】
【００９０】
【図１】本発明のスクリーン印刷版の一例を模式的に表す図であり、（ａ）は模式平面図、（ｂ）は（ａ）のＢ−Ｂ断面図、（ｃ）は（ａ）のＣ−Ｃ断面図である。
【図２】（ｘ）は従来のサスペンドスクリーン印刷版であり、（ｙ）は図１のスクリーン印刷版を示す模式断面図である。
【図３】本発明のメタルマスクスクリーン版の製造方法の一例による処理前の金属母材を表す模式説明図であり、（ａ）は模式平面図、（ｂ）は（ａ）のＢ−Ｂ断面図、（ｃ）は（ａ）のＣ−Ｃ断面図である。
【図４】第１レジスト形成工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図５】第１メッキ工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図６】予備剥離工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図７】第２レジスト形成工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図８】第２メッキ工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図９】剥離工程による操作が為された後の金属母材表面の状態を示す模式説明図であり、（ａ）は模式平面図、（ｂ）は（ａ）のＢ−Ｂ断面図、（ｃ）は（ａ）のＣ−Ｃ断面図である。
【図１０】液晶表示パネル製造途中のパネル基板であって、周辺シール剤が塗布された状態を示す平面図である。
【図１１】スクリーン印刷によってパネル基板に周辺シール剤を塗布する作業の様子を示す模式図である。
【図１２】スクリーン印刷版に用いられるメッシュの一部を拡大した平面図である。
【図１３】図１２におけるＤ−Ｄ断面図である。
【符号の説明】
【００９１】
２：金属板
４：メッシュ
６：ポスト
８：開口部
１０：金属母材
１２：レジスト
２０：スクリーン印刷版
【図１】
2007307717.tif 000003
【図２】
2007307717.tif 000004
【図３】
2007307717.tif 000005
【図４】
2007307717.tif 000006
【図５】
2007307717.tif 000007
【図６】
2007307717.tif 000008
【図７】
2007307717.tif 000009
【図８】
2007307717.tif 000010
【図９】
2007307717.tif 000011
【図１０】
2007307717.tif 000012
【図１１】
2007307717.tif 000013
【図１２】
2007307717.tif 000014
【図１３】
2007307717.tif 000015